【事件の表示】
　特願２００４−３７６０１２号「液晶表示装置用ランプの駆動回路及び駆動方法」拒絶査定不服審判事件〔平成１７年１１月　４日出願公開、特開２００５−３１０７４３号〕について、次のとおり審決する。
【結　論】
　本件審判の請求は、成り立たない。
【理　由】
第１　手続の経緯
　本件出願は、平成１６年１２月２７日（パリ条約による優先権主張２００４年４月２０日、韓国）の出願であって、平成１９年１０月１９日付けで拒絶査定がなされ、これに対して、平成２０年１月２２日に拒絶査定不服審判が請求されたものである。
　
第２　本願発明について
１．本願発明
　本件出願の請求項に係る発明は、平成１９年９月１１日付けで補正された特許請求の範囲の請求項１−１７に記載された事項により特定されるとおりのものと認められるところ、そのうちの請求項１及び１１に係る発明は以下のとおりである。
（１）「電源部からソース電力を受信する段階と、
　第１制御信号を生成する段階と、
　前記第１制御信号に基づいて前記受信されたソース電力の少なくとも１つの属性を調節して、第１管電流の値を有する第１管電流をランプ内に誘導する第１ランプ駆動電力を生成する段階と、
　前記第１制御信号を生成した後、前記第１制御信号とは異なる第２制御信号を生成する段階と、
　前記第２制御信号に基づいて前記受信されたソース電力の少なくとも１つの属性を調節して、第２管電流の値を有する第２管電流を前記ランプ内に誘導する第２ランプ駆動電力を生成する段階とを含み、前記第１管電流の値は前記第２管電流の値より大きいものであり、さらに、
　前記第２制御信号を生成する段階は、
　前記第１管電流を前記ランプから出力する段階と、
　前記出力された第１管電流の第１管電流の値を第１管電流基準信号の値と比較する段階と、
　前記比較に基づいて、前記第２制御信号を生成する段階とを含むことを特徴とするランプの駆動方法。」（以下「本願発明１」という。）
（２）「映像表示部と、
　前記映像表示部へと光を放出するランプと、
　電力を前記ランプに提供する電源部と、
　前記電源部から出力された電力を変換し、前記変換された電力を前記ランプに出力する、前記電源部の出力と前記ランプとに連結されたインバーター部と、
　前記インバーター部の調節動作を部分的に制御する少なくとも２つの基準信号を生成する、前記インバーター部に連結されたインバーター制御部を含み、前記インバーター部は、
　前記電源部から出力された電力を変換し、前記変換された電力を前記ランプに出力するトランスとスイッチング素子とを有する、前記電源部と前記ランプとの間に連結されたインバーター回路と、
　前記スイッチング素子の動作を制御する制御信号を生成する、前記インバーター制御部とインバーター回路とに連結されたフィードバック回路とを含むことを特徴とする液晶表示装置。」（以下「本願発明２」という。）
　
２．引用刊行物
（１）刊行物１の記載内容
　原査定の拒絶の理由に引用された、特開平７−２１１４６８号公報（以下「刊行物１」という。）には、図面と共に次の技術的事項が記載されている。
　（ア）「【０００２】
【従来の技術】最近においては、液晶表示装置が種々の分野において使用されるようになっており、携帯型のものも開発されるに至っている。そして、液晶表示装置のバックライトとしては小型蛍光管が好適に使用されており、その点灯装置としては、プッシュプル方式、あるいはフライバック方式のインバータ回路を有するものが広く用いられており、また小型蛍光管の調光制御のために、上記の点灯装置において、ランプ電流を検出してフィードバック制御する方式のまたは直流電圧をチョッピングして入力する方式が採用されている。」
　（イ）「【００１０】
【実施例】以下、図面により、本発明の実施例について説明する。図１は、本発明の一実施例に係る小型蛍光管点灯装置の構成を示す。この例の小型蛍光管点灯装置は、適宜の直流電源１０に、例えばＤＣ−ＤＣコンバータよりなる調光回路１１が接続され、この調光回路１１には、ＤＣ／ＡＣインバータよりなる点灯回路１２が接続され、この点灯回路１２に小型蛍光管Ｌが接続されている。ここに、当該点灯回路１２は、プッシュプル増幅器よりなるものとされている。また、点灯回路１２と小型蛍光管Ｌとの間には、ランプ電流を検出するランプ電流検出器１５が介挿され、このランプ電流検出器１５よりの検出信号が調光回路１１に加えられて、点灯回路１２より小型蛍光管Ｌに供給される電流の大きさがフィードバック制御されるよう構成されている。
【００１１】更に、この例においては、調光回路１１に過剰電流供給設定回路２０が接続されており、この過剰電流供給設定回路２０には、当該過剰電流供給設定回路２０を作動させるための低温検出信号を発する低温検出回路２１が接続されている。そして、過剰電流供給設定回路２０が作動されることにより、調光回路１１が制御されて点灯開始後１００秒間以内の設定された時間だけ、点灯回路１２における出力側の開放電圧が高くなり、その結果、過剰電流が小型蛍光管Ｌに供給されるよう構成されている。」
　（ウ）「【００４１】この小型蛍光管Ａの４０ｋＨｚの高周波電力による定格点灯における初期特性は、定格ランプ電流２０ｍＡ、定格ランプ電圧９０Ｖであった。・・・（中略）・・・
【００４４】過剰電流供給設定回路２０を低温検出信号によって作動される状態とし、低温検出回路２１の設定温度を０℃とすることにより、点灯開始後の２５秒間だけ小型蛍光管Ａに４０ｍＡの電流が供給されるが、その後は電流値が２０ｍＡとなるように調光回路１１および点灯回路１２を制御したほかは、上記と同様にして小型蛍光管Ａの輝度を経時的に測定した。」
　（エ）図１において点灯回路１２の中にはトランスが図示されている。
　
　ここで、主に上記記載事項及び図面から次のことが明らかである。
(1)記載事項（イ）の「小型蛍光管点灯装置」は、直流電源１０、調光回路１１、点灯回路１２、ランプ電流検出器１５、過剰電流供給設定回路２０が、所定の動作を行い、蛍光管を駆動して点灯するものであるので、その記載事項は所定の動作を含む「ランプの駆動方法」と言える。
(2)記載事項（イ）の「ランプ電流検出器１５よりの検出信号が調光回路１１に加えられて、点灯回路１２より小型蛍光管Ｌに供給される電流の大きさがフィードバック制御される」構成は「小型蛍光管Ｌに供給される電流の大きさを制御する、フィードバック回路」とも言える。
　
　すると、上記の事項を総合すると刊行物１には、次の発明（以下「引用発明１」という。）が開示されているものということができる。
「直流電源１０から電力を受け、
　点灯開始後の設定された時間だけ、過剰電流を小型蛍光管Ｌに供給し、
　その後、定格ランプ電流を小型蛍光管Ｌに供給する、
　動作を含み、過剰電流の値は定格ランプ電流の値より大きいものであり、さらに、
　前記過剰電流及び定格ランプ電流の供給は、
　ランプ電流検出器１５よりの検出信号によりフィードバック制御されるランプの駆動方法。」
　
　また、次の発明（以下「引用発明２」という。）も開示されているものということができる。
「小型蛍光管Ｌと、
　直流電源１０と、
　直流電源１０に接続されたＤＣ−ＤＣコンバータよりなる調光回路１１、及び、調光回路１１に接続された小型蛍光管Ｌが接続されているＤＣ／ＡＣインバータよりなる点灯回路１２と、
　調光回路１１を制御して点灯開始後１００秒間以内の設定された時間だけ過剰電流が小型蛍光管Ｌに供給されるようにする過剰電流供給設定回路２０を含み、前記調光回路１１、点灯回路１２、過剰電流供給設定回路２０、及び、フィードバック回路は、
　トランスとプッシュプル増幅器とを有する、前記電源部と前記ランプとの間に連結された点灯回路１２と、
　小型蛍光管Ｌに供給される電流の大きさを制御するフィードバック回路とを含む小型蛍光管点灯装置。」
　
３．本願発明１と引用発明１との対比 
（１）両発明の対応関係
(a)引用発明１の「直流電源１０」は、本願発明１の「電源部」に相当し、引用発明１の「直流電源１０から電力を受け」る動作は、本願発明１の「電源部からソース電力を受信する段階」に相当する。
(b)引用発明１の「過剰電流」は、本願発明１の「第１管電流」に相当する。
　そして、引用発明１の「点灯開始後の設定された時間だけ、過剰電流を小型蛍光管Ｌに供給し」なる動作は、その「供給」が記載事項（イ）の「過剰電流供給設定回路２０が作動されることにより」「供給される」ものであって、その動作を行う信号を生成していることが自明であり、過剰電流を小型蛍光管Ｌに供給するための信号を生成して行われているものであるので、本願発明１の「第１制御信号を生成する段階」に相当する。
　さらに、上記引用発明１の「点灯開始後の設定された時間だけ、過剰電流を小型蛍光管Ｌに供給し」なる動作は、その「供給」が直流電源１０からの電力を調節して行われることも明らかであるので、本願発明１の「第１制御信号に基づいて前記受信されたソース電力の少なくとも１つの属性を調節して、第１管電流の値を有する第１管電流をランプ内に誘導する第１ランプ駆動電力を生成する段階」にも相当する。
(c)引用発明１の「定格ランプ電流」は、本願発明１の「第２管電流」に相当する。
　そして、引用発明１の「その後、定格ランプ電流を小型蛍光管Ｌに供給する」動作は、上記(b)の「点灯開始後の設定された時間だけ、過剰電流を小型蛍光管Ｌに供給し」の後に行われるものであり、その動作を行う信号が生成されていることも自明であるので、本願発明１の「第１制御信号を生成した後、前記第１制御信号とは異なる第２制御信号を生成する段階」に相当する。
　さらに、上記引用発明１の「その後、定格ランプ電流を小型蛍光管Ｌに供給する」は、その「供給」が直流電源１０からの電力を調節して行われることも明らかであるので、本願発明１の「第２制御信号に基づいて前記受信されたソース電力の少なくとも１つの属性を調節して、第２管電流の値を有する第２管電流を前記ランプ内に誘導する第２ランプ駆動電力を生成する段階」にも相当する。
(d)引用発明１の「ランプ電流検出器１５よりの検出信号」によることは、該信号を得ている事が自明であり、本願発明１の「第１管電流を前記ランプから出力する」ことに相当するので、引用発明１の「過剰電流及び定格ランプ電流の供給は、ランプ電流検出器１５よりの検出信号によりフィードバック制御される」は、本願発明１の「第１管電流を前記ランプから出力する段階」に相当する。
　さらに、上記引用発明１の「過剰電流及び定格ランプ電流の供給は、ランプ電流検出器１５よりの検出信号によりフィードバック制御される」は、上記(c)記載のようにその「定格ランプ電流の供給」が、本願発明１の「第２制御信号を生成する段階」に相当する動作であり、また、その「フィードバック制御」が、上記「ランプ電流検出器１５よりの検出信号」（すなわち「第１管電流」の値）により行われているものであるので、「第２制御信号を生成する段階は、
　第１管電流を前記ランプから出力する段階と、
　前記出力された第１管電流の第１管電流の値を用いてフィードバック制御する段階とを含む」点において、本願発明１の「第２制御信号を生成する段階は、
　前記第１管電流を前記ランプから出力する段階と、
　前記出力された第１管電流の第１管電流の値を第１管電流基準信号の値と比較する段階と、
　前記比較に基づいて、前記第２制御信号を生成する段階とを含む」と共通する。
　
（２）両発明の一致点
「電源部からソース電力を受信する段階、
　第１制御信号を生成する段階、
　第１制御信号に基づいて前記受信されたソース電力の少なくとも１つの属性を調節して、第１管電流の値を有する第１管電流をランプ内に誘導する第１ランプ駆動電力を生成する段階、
　第１制御信号を生成した後、前記第１制御信号とは異なる第２制御信号を生成する段階、
　第２制御信号に基づいて前記受信されたソース電力の少なくとも１つの属性を調節して、第２管電流の値を有する第２管電流を前記ランプ内に誘導する第２ランプ駆動電力を生成する段階とを含み、前記第１管電流の値は前記第２管電流の値より大きいものであり、さらに、
　第２制御信号を生成する段階は、
　第１管電流を前記ランプから出力する段階と、
　前記出力された第１管電流の第１管電流の値を用いてフィードバック制御する段階とを含むランプの駆動方法。」
　
（３）両発明の相違点
　本願発明は、「フィードバック制御する段階」が「出力された第１管電流の第１管電流の値を第１管電流基準信号の値と比較する段階」と、「比較に基づいて、前記第２制御信号を生成する段階」であるのに対して、引用発明１はそのような特定がなされていない点。（以下「相違点１」という。）
　
４．本願発明１の容易推考性の検討
（１）相違点１について
　電流を検出しフィードバック制御する動作を具現化する手段として、検出信号である電流値と基準信号とを比較する段階、及び、その比較に基づいて制御信号を生成する段階を用いる手法は、例えば、特開平７−９４２９２号公報【００１２】にも記載されているように周知慣用のものである。
　そして、引用発明１の「フィードバック制御する段階」を該周知慣用の手法を用いて具現化して、相違点１に係る構成とすることは、当業者にとって容易想到の範囲というべきである。
　
（２）総合判断
　本願発明１の作用効果は、刊行物１及び周知手段から、当業者であれば予測できた範囲のものである。
　すると、本願発明１は、刊行物１に記載された発明、及び周知手段に基づいて当業者が容易に発明をすることができたものということができる。
　
５．本願発明２と引用発明２との対比 
（１）両発明の対応関係
(a)引用発明２の「直流電源１０」は、小型蛍光管点灯装置の電源であるので、本願発明２の「電力をランプに提供する電源部」に相当する。
(b)引用発明２の「直流電源１０に接続されたＤＣ−ＤＣコンバータよりなる調光回路１１」及び「調光回路１１に接続された小型蛍光管Ｌが接続されているＤＣ／ＡＣインバータよりなる点灯回路１２」は、点灯回路１２が電力を小型蛍光管Ｌに出力することが自明であるので、共に本願発明２の「電源部から出力された電力を変換し、前記変換された電力を前記ランプに出力する、前記電源部の出力と前記ランプとに連結されたインバーター部」に相当する。
(c)引用発明２の「プッシュプル増幅器」は、プッシュプル増幅器がスイッチング素子で構成されることが自明であるので、本願発明２の「スイッチング素子」に相当する。
　そして、引用発明２の「点灯回路１２」は、前記「トランスとプッシュプル増幅器」を有するものであるので、本願発明２の「電源部から出力された電力を変換し、前記変換された電力を前記ランプに出力するトランスとスイッチング素子とを有するインバーター回路」に相当する。
　
(d)引用発明２の「小型蛍光管Ｌ」は、「光を放出するランプ」である点において、本願発明の「映像表示部へと光を放出するランプ」と共通する。
(e)引用発明２の「調光回路１１を制御して点灯開始後１００秒間以内の設定された時間だけ過剰電流が小型蛍光管Ｌに供給されるようにする過剰電流供給設定回路２０」は、「点灯開始後１００秒間以内の設定された時間だけ過剰電流が小型蛍光管Ｌに供給されるよう」にし、その後は、記載事項（ウ）の「電流値が２０ｍＡとなるように調光回路１１および点灯回路１２を制御」するものであり、その動作を行う過剰電流及び２０ｍＡに対応した２つの信号を生成していることが明らかであるので、引用発明２の「スイッチング素子の動作を制御する制御信号を生成する、前記インバーター制御部」に相当し、さらに、「インバーター部の調節動作を部分的に制御する少なくとも２つの信号を生成する、前記インバーター部に連結されたインバーター制御部」である点において、本願発明２の「インバーター部の調節動作を部分的に制御する少なくとも２つの基準信号を生成する、前記インバーター部に連結されたインバーター制御部」と共通する。
(f)引用発明２の「調光回路１１」「点灯回路１２」「過剰電流供給設定回路２０」及び「フィードバック回路」は、相互に接続されて一連の動作を行うものであり、それぞれが上記(b)の「インバーター部」の一部を構成する要素と言えるものであり、共に引用発明２の「インバーター部」に相当するものである。
　また、引用発明２の「小型蛍光管Ｌに供給される電流の大きさを制御する」「フィードバック回路」は、その「電流の大きさを制御」が、上記（c）の「プッシュプル増幅器」（すなわち「スイッチング素子」）を制御することで行われることが明らかであり、かつ、該制御が制御信号を生成することで行われることも自明であるので、「スイッチング素子の動作を制御する制御信号を生成する」「フィードバック回路」と言えるものである。
　そして、引用発明２の「前記調光回路１１、点灯回路１２、過剰電流供給設定回路２０、及び、フィードバック回路は、
　トランスとプッシュプル増幅器とを有する、前記電源部と前記ランプとの間に連結された点灯回路１２と、
　小型蛍光管Ｌに供給される電流の大きさを制御するフィードバック回路とを含む」は、「インバーター部は、
　前記電源部から出力された電力を変換し、前記変換された電力を前記ランプに出力するトランスとスイッチング素子とを有する、インバーター回路と、
　前記スイッチング素子の動作を制御する制御信号を生成する、フィードバック回路とを含む」点において、本願発明の「インバーター部は、
　前記電源部から出力された電力を変換し、前記変換された電力を前記ランプに出力するトランスとスイッチング素子とを有する、インバーター回路と、
　前記スイッチング素子の動作を制御する制御信号を生成する、前記インバーター制御部とインバーター回路とに連結されたフィードバック回路とを含む」と共通する。
　
（２）両発明の一致点
「光を放出するランプと、
　電力をランプに提供する電源部と、
　電源部から出力された電力を変換し、前記変換された電力を前記ランプに出力する、前記電源部の出力と前記ランプとに連結されたインバーター部と、
　前記インバーター部の調節動作を部分的に制御する少なくとも２つの信号を生成する、前記インバーター部に連結されたインバーター制御部を含み、前記インバーター部は、
　前記電源部から出力された電力を変換し、前記変換された電力を前記ランプに出力するトランスとスイッチング素子とを有する、インバーター回路と、
　前記スイッチング素子の動作を制御する制御信号を生成するフィードバック回路とを含む装置。」
　
（３）両発明の相違点
　（ア）本願発明２は、「映像表示部」「を含む」「液晶表示装置」であって、「光を放出するランプ」が「映像表示部へと光を放出するランプ」であるのに対して、引用発明２はそのようなものでない点。（以下「相違点１」という。）
　（イ）本願発明２は、「インバーター制御部」が「インバーター部の調節動作を部分的に制御する少なくとも２つの基準信号を生成する、前記インバーター部に連結されたインバーター制御部」であるのに対して、引用発明２は「信号」が「基準信号」と表現されていない点。（以下「相違点２」という。）
　（ウ）本願発明２は、「フィードバック回路」が「インバーター制御部とインバーター回路とに連結されたフィードバック回路」であるのに対して、引用発明２はそのことが明らかでない点。（以下「相違点３」という。）
　
６．本願発明２の容易推考性の検討
（１）相違点１について
　前記記載事項（ア）に、【従来の技術】として「液晶表示装置のバックライトとしては小型蛍光管が好適に使用されており」と記載されているように、ランプを液晶表示装置のバックライトに用いることは周知であり、引用発明２の「小型蛍光管点灯装置」及び「光を放出するランプ」を該周知の用途に用いて、相違点１に係る構成とすることは、当業者が必要に応じてなし得る設計的事項といえる。
　
（２）相違点２について
　インバータの制御において、制御する信号を基準値として生成して行うことは、例えば、特開平７−９４２９２号公報；【００１２】（「目標値」と表現）にも記載されているように周知慣用技術である。
　そして、引用発明２の「過剰電流」及び「２０ｍＡ」を「供給されるようにする過剰電流供給設定回路２０」（すなわち「・・・制御信号を生成する、前記インバーター制御部」）を、該周知慣用のものとして具現化して、相違点２に係る構成とすることは、当業者にとって容易想到の範囲というべきである。
　
（３）相違点３について
　まず、引用発明２の「フィードバック回路」は、記載事項（イ）の「ランプ電流検出器１５よりの検出信号が調光回路１１に加えられて、点灯回路１２より小型蛍光管Ｌに供給される電流の大きさがフィードバック制御される」ものであるので、調光回路１１もその構成要素として含むものといえる。
　そして、該調光回路１１は、過剰電流供給設定回路２０（すなわち「インバーター制御部」）と点灯回路１２（すなわち「インバーター回路」）に連結されているものであるので、引用発明２の「フィードバック回路」は、その構成要素である調光回路１１が過剰電流供給設定回路２０と点灯回路１２に連結されている点において、「インバーター制御部とインバーター回路とに連結されたフィードバック回路」といえるものであり、相違点３は実質的な相違点ではない。
　
（４）総合判断
　本願発明２の作用効果は、刊行物１及び周知慣用技術から、当業者であれば予測できた範囲のものである。
　すると、本願発明２は、刊行物１に記載された発明、及び周知手段に基づいて当業者が容易に発明をすることができたものということができる。
　
７．むすび
　したがって、本願発明１（請求項１に係る発明）、及び、本願発明２（請求項１１に係る発明）については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。